(57)【要約】【課題】汎用の紙製組立箱の折り部を現場合わせで定める事を可能とする折り部調整治具を提供する。【解決手段】上記課題を解決するための調整治具１０は、尺度軸１２と、尺度軸１２の長手方向に沿って移動可能な位置決め板１４と、尺度軸１２の一方の先端に備えられ、尺度軸１２の長手方向と直交する方向に突出部を有する折目形成手段１６と、を有することを特徴とする。また、位置決め板１４には、尺度軸１２に対する移動を規制する移動規制手段１８が備えられるようにする。【選択図】図１
2018199276.tif 000002
【特許請求の範囲】
【請求項１】
尺度軸と、
前記尺度軸の長手方向に沿って移動可能な位置決め板と、
前記尺度軸の一方の先端に備えられ、前記尺度軸の長手方向と直交する方向に突出部を有する折目形成手段と、を有することを特徴とする紙製組立箱の折り部調整治具。
【請求項２】
前記位置決め板には、前記尺度軸に対する移動を規制する移動規制手段が備えられていることを特徴とする請求項１に記載の紙製組立箱の折り部調整治具。
【請求項３】
前記折目形成手段が、前記尺度軸を中心として回転可能な回転刃であることを特徴とする請求項１または２に記載の紙製組立箱の折り部調整治具。
【請求項４】
前記回転刃が、鋸刃状であることを特徴とする請求項３に記載の紙製組立箱の折り部調整治具。
【発明の詳細な説明】
【技術分野】
【０００１】
本発明は、段ボール箱のような紙製組立箱における折り部を調整する場合に適用する治具に関する。
【背景技術】
【０００２】
汎用品の段ボール箱のような紙製組立箱を用いて配送品などの梱包を行うと、図１１に示すように、内容物１の大きさにより、内容物１と蓋（蓋を構成する片３４の基点）との間に大きな隙間２が生じることがある。このような隙間２は、紙製組立箱３０を搬送する際、内容物１が紙製組立箱３０の内部で移動し、場合によっては、内容物１同士が激しく接触するため、内容物１の破損や損傷の原因の１つとされている。このため、梱包時に生じる隙間２には、緩衝材などを詰め、内容物１の動きを規制することが行われる。
【０００３】
このような実状の下では、紙製組立箱３０の内部に大きな隙間２が生じる場合、これを埋めるために多くの緩衝材が必要とされ、緩衝材に要するコストが高くなるといった事が問題視されてきた。また、配送費用の多寡は、配送品の大きさにも起因するため、内容物に比して外箱が極端に大きい場合には、配送費用にも無駄が生じることとなる。
【０００４】
このような実状に鑑み特許文献１では、段ボールにより構成される紙製組立箱の内側に、予め複数の折り曲げ部を形成しておき、内容物の高さに応じて任意の折り曲げ部を採用する事で、蓋を閉じた際の箱の高さを変えることができるという技術が提案されている。
【先行技術文献】
【特許文献】
【０００５】
【特許文献１】特開２００５−３１３９９１号公報
【発明の概要】
【発明が解決しようとする課題】
【０００６】
特許文献１に開示されているような技術を適用した段ボール箱であれば、内容物と蓋との間の隙間を小さくすることができ、使用する緩衝材の量を減らすことができる。また、外箱の大きさも、内容物に適した大きさとする事ができるため、配送費用の高騰も抑える事ができると考えられる。
【０００７】
しかし、特許文献１に開示されている段ボール箱は、予め折り目を複数形成しておくという構成から、従来の汎用品に比べて製造、販売コストの高騰が予想される。また、箱高さの段階的な調整は可能となるものの、内容物の大きさ（高さ）に合わせた微調整を行う事はできないといった問題も残している。
【０００８】
そこで本発明では、上記問題を解決し、汎用の紙製組立箱の折り部を現場合わせで定める事を可能とする折り部調整治具を提供する事を目的とする。
【課題を解決するための手段】
【０００９】
上記目的を達成するための本発明に係る紙製組立箱の折り部調整治具は、尺度軸と、前記尺度軸の長手方向に沿って移動可能な位置決め板と、前記尺度軸の一方の先端に備えられ、前記尺度軸の長手方向と直交する方向に突出部を有する折目形成手段と、を有することを特徴とする。
【００１０】
また、上記のような特徴を有する紙製組立箱の折り部調整治具において前記位置決め板には、前記尺度軸に対する移動を規制する移動規制手段が備えられていると良い。このような特徴を有する事により、尺度軸に対する位置決め板の移動を規制し、紙製組立箱に対する折目の形成を容易かつ精度良く行う事が可能となる。
【００１１】
また、上記のような特徴を有する紙製組立箱の折り部調整治具では、前記折目形成手段が、前記尺度軸を中心として回転可能な回転刃とすると良い。このような特徴を有する事により、紙製組立箱の折り部調整治具を移動させる際の抵抗を小さなものとし、折目の形成をスムーズに行う事ができる。
【００１２】
さらに、上記のような特徴を有する紙製組立箱の折り部調整治具では、前記回転刃を、鋸刃状とすることが望ましい。このような特徴を有する事により、紙製組立箱に対する折目形成手段の押し付け力が小さなものであったとしても、折目を形成する事が可能となる。
【発明の効果】
【００１３】
上記のような特徴を有する紙製組立箱の折り部調整治具によれば、これを用いて紙製組立箱に新たな折目を形成することで、内容物と蓋との間の隙間を小さくすることができ、使用する緩衝材の量を減らすことができる。また、紙製組立箱の外観を内容物に適した大きさとする事ができるため、配送費用の抑制も図る事ができる。さらに、汎用の紙製組立箱の折り部を現場合わせで定める事ができるため、内容物の高さ（大きさ）に合わせた微調整も可能となり、従来よりもさらに隙間を小さなものとすることも可能となる。
【図面の簡単な説明】
【００１４】
【図１】実施形態に係る紙製組立箱の折り部調整治具の構成を示す部分断面正面図である。
【図２】実施形態に係る紙製組立箱の折り部調整治具の構成を示す分解斜視図である。
【図３】実施形態に係る紙製組立箱の折り部調整治具の使用形態を示す正面図である。
【図４】実施形態に係る紙製組立箱の折り部調整治具の使用形態を示す平面図である。
【図５】紙製組立箱の側壁に対して折目を形成する様子を示す図である。
【図６】折目を形成した紙製組立箱により、箱の高さを変える事ができる様子を示す正面図である。
【図７】紙製組立箱の折り部調整治具における応用形態を示す図であり、位置決め板にボスを備えた形態を示す図である。
【図８】紙製組立箱の折り部調整治具における応用形態を示す図であり、折目形成手段を単純な刃物とする場合の形態を示す図である。
【図９】通常の紙製組立箱の組立前状態（Ａ）と、組み立て状態の平面形状（Ｂ）を示す図である。
【図１０】紙製組立箱の折り部調整治具により、新たな折目を形成した紙製組立箱の組立前状態（Ａ）と、組み立て状態の平面形状（Ｂ）を示す図である。
【図１１】通常の紙製組立箱に内容物を詰めた際に、蓋と内容物との間に大きな隙間が生じている様子を示す図である。
【発明を実施するための形態】
【００１５】
以下、本発明の紙製組立箱の折り部調整治具に係る実施の形態について、図面を参照して詳細に説明する。なお、図面において、図１は、実施形態に係る紙製組立箱の折り部調整治具の構成を示す部分断面正面図であり、図２は、同分解斜視図である。
【００１６】
［調整治具構成］
本実施形態に係る紙製組立箱の折り部調整治具（以下、単に調整治具１０と称す）は、尺度軸１２と、位置決め板１４、および折目形成手段１６とを有する。尺度軸１２は、段ボールや厚紙等で形成された紙製組立箱３０（図３等参照）の内側に新たな折目４０（図５等参照）を形成する際の位置を調整するための要素である。図１、および図２に示す例では、尺度軸１２を丸棒により構成しているが、直線状に形成された軸部材であれば、その外観形状は問わず、角柱等であっても良い。
【００１７】
位置決め板１４は、紙製組立箱３０の内側に折目４０を形成する際の位置を定めるための要素である。位置決め板１４は、尺度軸１２を挿通可能な貫通孔１４ａを備えた板部材であれば良く、図１、図２に示す例では、円盤型としている。また、位置決め板１４の側面には、雌ネジを備えた貫通孔１４ｂが設けられている。
【００１８】
位置決め板１４は、貫通孔１４ａに尺度軸１２を挿通させた状態で、尺度軸１２上を長手方向に移動させる事を可能とする。図３に示すように、位置決め板１４を紙製組立箱３０の蓋を構成する片３４の先端、あるいは蓋を構成する片３４を広げた状態における側壁３２の上端に当接させて尺度軸１２を動かす事で、紙製組立箱３０に対する尺度軸１２の挿入深さ、すなわち折目４０の形成位置を調整する事ができる。貫通孔１４ｂには、雄ネジを備えた移動規制手段１８を螺合させる事ができる。移動規制手段１８を貫通孔１４ｂに捻じ込み、その先端を尺度軸１２に付勢させる事で、尺度軸１２と位置決め板１４との相対的な移動が規制される。
【００１９】
折目形成手段１６は、紙製組立箱３０に対して折目４０を形成するための要素である。図１、図２に示す形態では、折目形成手段１６を円盤型とし、その外周に鋸刃状の突起を備える形態としている。折目形成手段１６は、尺度軸１２の端部のうち、紙製組立箱３０に挿入されることとなる側の先端に備えられる。なお、折目形成手段１６は、その突起（突出部）が尺度軸１２の長手方向と直交する方向に向くように取り付けられる。また、図１、図２に示す形態では、折目形成手段１６を円盤型としているため、その取り付けは、取付ネジ２０を基点として回転自在となるように構成されている。
【００２０】
［調整治具の使用］
上記のような構成の調整治具１０は、紙製組立箱３０に対する尺度軸１２の挿入深さを折目４０の形成位置に合わせて定め、位置決め板１４を固定する。その後、紙製組立箱３０の蓋を構成する片３４を立てた状態として、その先端に位置決め板１４を当接させて設置する。この状態で、折目形成手段１６を紙製組立箱３０の側壁３２に押し当てる。そして、折目形成手段１６を側壁３２に押し当てた状態のまま、図４に矢印Ａで示すように、調整治具１０を紙製組立箱３０の側壁３２に沿って周回させる。
【００２１】
調整治具１０を上記のように動作させる事で、図５（Ａ）に紙製組立箱３０の部分拡大断面を示すように、側壁３２を構成する内壁面３２ａのみに切れ込み、あるいは押圧痕が形成され、これが折目４０となる。折目４０の形成部位では、図５（Ｂ）に二点鎖線で示すように、折目４０を形成した内壁面３２ａに対応する外壁面３２ｂを基点として、側壁３２を容易に折り曲げられる状態となる。
【００２２】
調整治具１０では、位置決め板１４を、蓋を構成する片３４の上端に沿わせた状態で調整治具１０の周回を行うため、側壁３２の内壁面３２ａに形成される折目４０は、蓋を構成する片３４の上端と並行、すなわち蓋を構成する片３４の基部に形成されている元々の折目３４ａと並行なものとなる。また、円盤型とした折目形成手段１６は、調整治具１０の移動に従って回転するため、移動に際しての抵抗を小さくする事ができる。さらに、折目形成手段１６の外周に鋸刃状の突起を備えた事より、折目形成手段１６を側壁に押し当てた際、その力が突起の先端に集中することとなる。このため、押し当てる力が小さなものであっても、側壁３２の内壁面３２ａに切れ込み、あるいは押圧痕を形成することができる。
【００２３】
［作用、効果］
上記のようにして内壁面３２ａに折目４０を形成した紙製組立箱３０は図６に示すように、その四つ角部をカッター５０等で高さ方向に折目４０の位置まで切断する事で、形成した折目４０に沿って側壁３２を容易に折り曲げることができるようになる。よって、内容物と蓋との間の隙間を小さくすることができ、使用する緩衝材の量を減らすことができる。また、紙製組立箱３０の外観を内容物に適した大きさとする事ができるため、配送費用の抑制も図る事ができる。さらに、汎用の紙製組立箱３０の折り部を現場合わせで定める事ができるため、内容物の高さ（大きさ）に合わせた微調整も可能となり、従来よりもさらに隙間を小さなものとすることも可能となる。
【００２４】
［応用形態］
上記実施形態では、尺度軸１２について、単に丸棒により構成している旨記載した。しかしながら、必要に応じて尺度軸１２に目盛を設けるようにしても良い。尺度軸１２に目盛を設ける事で、紙製組立箱３０に対する挿入深さに再現性を持たせる事が容易となるからである。
【００２５】
また、上記実施形態では、位置決め板１４について、単に蓋を構成する片３４の上端に沿わせる板部材として説明した。しかしながら、位置決め板１４の下面側に、図７に示すようなボス２２を設ける構成としても良い。なお、ボス２２の形態は、折目形成手段１６を構成する円盤よりも若干小さな円筒形とすると良い。
【００２６】
調整治具１０を紙製組立箱３０の側壁３２に沿って移動させる際、ボス２２の外周面に蓋を構成する片３４の内壁面を当接させる事で、折目形成手段１６の押し付け状態を安定させる事ができるからである。
【００２７】
また、折目形成手段１６は、回転円盤型のものでなく、例えば図８に示すような特定の一方向に突出部を持つものであっても良い。このような構成とする場合、尺度軸１２の断面形状を四角形とする事で、調整治具１０を移動させる際の軸の回転を抑え、安定させる事ができる。また、折目形成手段１６として、カッターのような刃物を採用する場合には、突出部の長さが側壁３２の板厚よりも短くなるように構成すると良い。さらに、調整治具１０を移動させる際の抵抗により刃物（折目形成手段１６）が回転しないように、刃物の背側にストッパ１２ａを設けるようにする事が望ましい。
【産業上の利用可能性】
【００２８】
上記実施形態では、調整治具１０は、紙製組立箱３０を組み立てた状態で、その側壁３２の内壁面３２ａに折目形成手段１６を押し当てて使用する旨説明した。しかしながら本発明に係る調整治具１０は、組み立て前の状態の紙製組立箱３０に使用する事で、その箱の形状を調整する事もできる。
【００２９】
具体的には、図９（Ａ）に示すような短辺部と長辺部の間に元々の折目３４ａが形成された紙製組立箱３０は、これを箱として形成した場合には図９（Ｂ）に示すような平面形態を得ることとなる。これに対して、図１０（Ａ）に細破線で示すように、組み立て前の状態における紙製組立箱３０の高さ方向の辺を基点として、その高さ方向に沿った折目４０を２か所（表側と裏側）設ける事で、これを箱として形成した場合の平面形態を図１０（Ｂ）のように変化させる事ができる。なお、図１０（Ｂ）において、矢印Ｂで示す位置が元々の折り曲げ部の位置となる。
【符号の説明】
【００３０】
１０………調整治具、１２………尺度軸、１２ａ………ストッパ、１４………位置決め板、１４ａ………貫通孔、１４ｂ………貫通孔、１６………折目形成手段、１８………移動規制手段、２０………取付ネジ、２２………ボス、３０………紙製組立箱、３２………側壁、３２ａ………内壁面、３２ｂ………外壁面、３４………蓋を構成する片、３４ａ………元々の折目、４０………折目、５０………カッター。
【図１】
2018199276.tif 000003
【図２】
2018199276.tif 000004
【図３】
2018199276.tif 000005
【図４】
2018199276.tif 000006
【図５】
2018199276.tif 000007
【図６】
2018199276.tif 000008
【図７】
2018199276.tif 000009
【図８】
2018199276.tif 000010
【図９】
2018199276.tif 000011
【図１０】
2018199276.tif 000012
【図１１】
2018199276.tif 000013